(57)【特許請求の範囲】
【請求項１】
取付孔を有し、かつ回転動作する針本体と、
前記針本体の前記取付孔に挿入する筒軸部および前記針本体の上面に配置される装飾取付部が一体に形成され、前記針本体に取り付けられた針取付部材と、
前記針取付部材の前記装飾取付部に上部が露出して取り付けられた装飾体と、
を備え、
前記装飾体と前記装飾取付部との間には、加飾シートが配置されていることを特徴とする指針。
【請求項２】
取付孔を有し、かつ回転動作する針本体と、
前記針本体の前記取付孔に挿入する筒軸部および前記針本体の上面に配置される装飾取付部が一体に形成され、前記針本体に取り付けられた針取付部材と、
前記針取付部材の前記装飾取付部に上部が露出して取り付けられた装飾体と、
を備え、
前記針取付部材の前記装飾取付部には、前記装飾体を固定するための第１カシメ部が設けられており、前記筒軸部には、前記装飾取付部を前記針本体に固定するための第２カシメ部が設けられ、
前記第１カシメ部は、前記装飾取付部の外周に位置する筒部の上部の全周に亘り、前記筒部の厚さよりも薄く設けられていることを特徴とする指針。
【請求項３】
請求項１または請求項２に記載の指針において、前記装飾体は宝石またはガラス細工であることを特徴とする指針。
【請求項４】
請求項１〜請求項３のいずれかに記載の指針において、前記取付孔は、前記針本体の回転中心に設けられていることを特徴とする指針。
【請求項５】
請求項２に記載の指針において、前記装飾体と前記装飾取付部との間には、加飾シートが配置されていることを特徴とする指針。
【請求項６】
請求項１〜請求項５のいずれかに記載の指針において、前記筒軸部には、その軸方向に沿う貫通孔が、前記筒軸部の下端部から前記装飾取付部の内面に亘って貫通して設けられていることを特徴とする指針。
【請求項７】
請求項１に記載の指針において、前記針取付部材の前記装飾取付部には、前記装飾体を固定するための第１カシメ部が設けられており、前記筒軸部には、前記装飾取付部を前記針本体に固定するための第２カシメ部が設けられていることを特徴とする指針。
【請求項８】
請求項１に記載の指針において、前記加飾シートは、前記装飾体を透過した光を前記装飾体の内部に向けて反射する反射面を有していることを特徴とする指針。
【請求項９】
請求項１に記載の指針において、前記加飾シートには、凹凸模様が施されていることを特徴とする指針。
【請求項１０】
請求項１に記載の指針において、前記加飾シートは、弾力性を有していることを特徴とする指針。
【請求項１１】
請求項１に記載の指針において、前記加飾シートは、金属製の薄板であることを特徴とする指針。
【請求項１２】
請求項１に記載の指針において、前記加飾シートは、合成樹脂製のシートであることを特徴とする指針。
【請求項１３】
請求項１〜請求項１２のいずれかに記載された指針を備えていることを特徴とする時計。
【発明の詳細な説明】
【技術分野】
【０００１】
この発明は、時計や計器類などの機器に用いられる指針およびそれを備えた時計に関する。
【背景技術】
【０００２】
例えば、時計の指針においては、特許文献１に記載されているように、針本体をマグネシウムやマグネシウム合金などの金属で形成し、この針本体の表面に装飾被膜を施すことにより、軽量で装飾性を有するように構成されたものが知られている。
【先行技術文献】
【特許文献】
【０００３】
【特許文献１】特開２００４−２７９３８２号公報
【発明の概要】
【発明が解決しようとする課題】
【０００４】
しかしながら、このような指針では、針本体を指針軸に取り付けるための針取付部材が必要であり、この針取付部材が針本体の表面に露出するため、この露出する針取付部材によって装飾性が損なわれるという問題がある。
【０００５】
この発明が解決しようとする課題は、インパクトのある装飾効果を得ることができる指針およびそれを備えた時計を提供することである。
【課題を解決するための手段】
【０００６】
この発明は、取付孔を有し、かつ回転動作する針本体と、この針本体の前記取付孔に挿入する筒軸部および前記針本体の上面に配置される装飾取付部が一体に形成され、前記針本体に取り付けられた針取付部材と、この針取付部材の前記装飾取付部に上部が露出して取り付けられた装飾体と、を備え、前記装飾体と前記装飾取付部との間には、加飾シートが配置されていることを特徴とする指針である。
また、この発明は、取付孔を有し、かつ回転動作する針本体と、前記針本体の前記取付孔に挿入する筒軸部および前記針本体の上面に配置される装飾取付部が一体に形成され、前記針本体に取り付けられた針取付部材と、前記針取付部材の前記装飾取付部に上部が露出して取り付けられた装飾体と、を備え、前記針取付部材の前記装飾取付部には、前記装飾体を固定するための第１カシメ部が設けられており、前記筒軸部には、前記装飾取付部を前記針本体に固定するための第２カシメ部が設けられ、前記第１カシメ部は、前記装飾取付部の外周に位置する筒部の上部の全周に亘り、前記筒部の厚さよりも薄く設けられていることを特徴とする指針である。
【発明の効果】
【０００７】
この発明によれば、針取付部材の装飾取付部に装飾体をコンパクトに取り付けることができるほか、この装飾取付部から上部が露出した装飾体によって装飾効果を得ることができると共に、針本体の動きに応じて装飾体による装飾を変化させることができるので、装飾性を高めることができると共に、インパクトのある装飾効果を得ることができる。
【図面の簡単な説明】
【０００８】
【図１】この発明を腕時計に適用した一実施形態における時計モジュールの要部を示した拡大断面図である。
【図２】図１に示された時計モジュールにおける指針の秒針を示した拡大斜視図である。
【図３】図２に示された秒針のＡ−Ａ矢視における要部の拡大断面図である。
【図４】図３に示された秒針の要部を分解して示した拡大半断面図である。
【図５】図４に示された装飾体を示した拡大平面図である。
【図６】図３に示された加飾シートの各変形例を示し、（ａ）は反射面に線状溝を同心円状に設けた凹凸模様を有する第１変形例を示した拡大平面図、（ｂ）は反射面に線状溝を多角形の同心状に設けた凹凸模様を有する第２変形例を示した拡大平面図、（ｃ）は反射面に複数の線状溝を放射状に設けた凹凸模様を有する第３変形例を示した拡大平面図である。
【図７】図３に示された加飾シートの第４変形例を示し、（ａ）は加飾シートの中央部を盛り上げて弾力的に反らせることにより、加飾シートにばね性をもたせた第４変形例を示した拡大断面図、（ｂ）は加飾シートの外周を盛り上げて弾力的に反らせることにより、加飾シートにばね性をもたせた第４変形例を示した拡大断面図である。
【図８】図３に示された加飾シートの第５変形例を示し、（ａ）は加飾シートの外周に複数の弾力突起部を設けた第５変形例を示した拡大断面図、（ｂ）はその拡大側面図である。
【発明を実施するための形態】
【０００９】
以下、図１〜図５を参照して、この発明を指針式の腕時計に適用した一実施形態について説明する。
この腕時計は、図１に示すように、時計モジュール１を備えている。この時計モジュール１は、腕時計ケース（図示せず）の内部に組み込まれるものであり、ハウジング２を備えている。このハウジング２の上面には、文字板３が配置されており、このハウジング２の内部には、時計ムーブメント４が設けられている。
【００１０】
この時計ムーブメント４は、図１に示すように、文字板３の貫通孔３ａを通して文字板３の上方に突出する指針軸５を備え、この指針軸５の上部に指針６が取り付けられるように構成されている。この指針６は、秒針７、分針８、時針９を有し、上側から順に秒針７、分針８、時針９が指針軸５に取り付けられるように構成されている。これにより、時計ムーブメント４は、指針軸５を回転させて、指針６を文字板３の上方で運針させることにより、時刻を指示するように構成されている。
【００１１】
このような秒針７、分針８、時針９のうち、最上部に位置する秒針７は、図１および図２に示すように、針本体１０を備えている。この針本体１０は、アルミニウム、マグネシウム、真鍮（ＢＳ）などの金属または炭素繊維などの材料によって形成されている。すなわち、この針本体１０は、厚みの薄い板状で、全体が細長い針状に形成されている。この針本体１０の回転中心、つまり針本体１０が指針軸５に取り付けられて指針軸５と共に回転する回転中心には、図３に示すように、取付孔１１が針本体１０の上下に貫通して設けられている。
【００１２】
この針本体１０の取付孔１１には、図３および図４に示すように、ハカマと称する針取付部材１２が取り付けられている。この針取付部材１２は、針本体１０の取付孔１１に挿入して取り付けられる筒軸部１３と、この筒状部１３の上端部に位置して針本体１０の上面に配置される装飾取付部１４と、を有し、これらが真鍮やリン青銅などの金属によって一体に形成された構成になっている。装飾取付部１４は、装飾体１５がその上部を露出させた状態で取り付けられるように構成されている。
【００１３】
すなわち、この装飾取付部１４は、図３および図４に示すように、円板状のベース部１４ａと、このベース部１４ａの外周に設けられた筒部１４ｂと、を有し、上方に開放された円筒状の凹部に形成されている。この場合、装飾取付部１４は、装飾体１５の下部が配置する深さの浅い凹部に形成されている。また、この装飾取付部１４の外周に位置する筒部１４ｂの上部には、装飾体１５を固定するための第１カシメ部１６が設けられている。
【００１４】
また、筒軸部１３は、図３および図４に示すように、指針軸５に取り付けられるものであり、ほぼ円筒状に形成され、その内部に指針軸５が嵌め込まれる貫通孔１３ａが設けられている。この貫通孔１３ａは、筒軸部１３の下端部から装飾取付部１４のベース部１４ａに亘って貫通して設けられ、その上端部が装飾取付部１４内に開放されるように構成されている。
【００１５】
この場合、貫通孔１３ａが装飾取付部１４の内面に貫通していない場合には、切削加工時に、装飾取付部１４のベース部１４ａの上面が盛り上がるため、その盛り上がりを防ぐために、装飾取付部１４のベース部１４ａの厚みを厚く形成する必要がある。これに対して、貫通孔１３ａを筒軸部１３の下端部から装飾取付部１４の内面に亘って貫通させて設けた場合には、貫通孔１３ａの切削加工時に装飾取付部１４のベース部１４ａの上面に盛り上がりが生じないため、装飾取付部１４のベース部１４ａの厚みを薄く形成することができる。
【００１６】
さらに、筒軸部１３は、図３および図４に示すように、その軸方向（図２では上下方向）の長さが針本体１０の上下方向の長さである針本体１０の厚みよりも十分に長く形成されている。この筒軸部１３の上部外周には、針本体１０の取付孔１１に嵌合する嵌合部１７が設けられており、この嵌合部１７の下部外周には、針取付部材１２を針本体１０に固定するための第２カシメ部１８が設けられている。
【００１７】
ところで、装飾体１５は、図４および図５に示すように、ダイヤモンド、ブルーサファイヤ、エメラルド、ルビーなどの宝石またはそれに類似するガラス細工であり、その下端面が円形状の平坦面に形成され、その下部外周が円形状に形成され、上部外周が複数（この実施形態では８面）の各傾斜面に形成され、上端面が正多角形（この実施形態では正八角形）の平面に形成された構成になっている。
【００１８】
この装飾体１５は、指針６が腕時計の秒針７であることを考慮して、その外形の直径が１．８ｍｍ〜１．２ｍｍの範囲で、好ましくは１．５ｍｍ程度の大きさに形成されていることが望ましい。これにより、装飾体１５は、図２および図３に示すように、その下部外周が針取付部材１２の装飾取付部１４内に配置され、この状態で上部外周に設けられた複数の各傾斜面の下部側が第１カシメ部１６によって固定されることにより、装飾体１５の上部側が装飾取付部１４から上方に突出した状態で針取付部材１２に取り付けられるように構成されている。
【００１９】
この場合、装飾体１５の下面と針取付部材１２の装飾取付部１４のベース部１４ａとの間には、図３および図４に示すように、加飾シート２０が配置されている。この加飾シート２０は、ステンレスなどの金属製の薄板であり、その上面が反射面２０ａに形成されている。この反射面２０ａは、装飾体１５の上部側から照射された外部光が装飾体１５の下側に透過した際に、その透過した光を装飾体１５の内部に向けて反射するように構成されている。
【００２０】
次に、このような秒針７の作用について説明する。
まず、この秒針７に取り付けられる装飾体１５を製作する場合には、装飾体１５の基材を円板状に形成し、その上部外周に複数（例えば８つ）の傾斜面を均等に形成し、その上端面と下端面とを平行な平面に形成する。これにより、下部側が円板状に形成され、上部外周に複数の傾斜面が形成され、上端面が正多角形の平面に形成された装飾体１５が形成される。
【００２１】
そして、この装飾体１５を針取付部材１２に取り付ける。このときには、予め、針取付部材１２の装飾取付部１４内のベース部１４ａ上に加飾シート２０を配置する。これにより、針取付部材１２の筒軸部１３に設けられた貫通孔１３ａが装飾取付部１４内に開放されていても、貫通孔１３ａの上端部が加飾シート２０によって塞がれて隠される。この状態で、装飾取付部１４内に装飾体１５の下部側を配置し、装飾体１５の上部側を装飾取付部１４から上方に突出させる。
【００２２】
この状態で、第１カシメ部１６をカシメ加工し、この第１カシメ部１６によって装飾体１５の上部外周に設けられた複数の各傾斜面の下部側を固定する。これにより、装飾体１５の上部側が装飾取付部１４から上方に突出した状態で、装飾体１５が針取付部材１２の装飾取付部１４に取り付けられる。
【００２３】
この後、装飾体１５が取り付けられた針取付部材１２を針本体１０に取り付ける。このときには、針取付部材１２の筒軸部１３を針本体１０の回転中心に位置する取付孔１１に挿入させて、筒軸部１３の上部外周に設けられた嵌合部１７を針本体１０の取付孔１１に嵌合させる。この状態で、嵌合部１７の下部外周に設けられた第２カシメ部１８をカシメ加工して針本体１０の下面に押し当てる。
【００２４】
このときには、針本体１０が第２カシメ部１８によって針取付部材１２の装飾取付部１４の下面に押し付けられることにより、装飾取付部１４が針本体１０の上面に強固に固定される。この後、針取付部材１２の筒軸部１３に指針軸５を差し込んで嵌着させる。このときには、予め、時針９、分針８をその順で指針軸５に取り付ける。これにより、秒針７、分針８、時針９は、指針軸５に取り付けられ、この状態で指針軸５の回転によって文字板３の上方を運針して、時刻を指示する。
【００２５】
この場合、装飾体１５は、外部光が照射されると、その照射された一部の光が内部に採り込まれ、この採り込まれた光が内部で反射を繰り返しながら外部に放出される。これにより、装飾体１５が輝き、この輝きによって装飾性が得られる。また、この装飾体１５は、その内部に採り込まれた一部の光が装飾体１５の下側に透過する。この透過した光は、加飾シート２０の反射面２０ａで反射され、この反射された光が再び装飾体１５内に採り込まれ、この採り込まれた光が装飾体１５を透過して外部に放出される。
【００２６】
これにより、装飾体１５が輝き、この輝きによって装飾性が高められると共に、装飾体１５を見る方向によって装飾体１５の輝きによる装飾性が変化する。また、このときには、装飾体１５が針本体１０の回転中心に設けられているので、秒針７の運針に伴って装飾体１５が１秒ごとに自動的に回転する。このため、装飾体１５を一方向から見ていても、秒針７の運針に伴って装飾体１５の輝きによる装飾性が刻々変化する。これにより、インパクトのある装飾効果が得られる。
【００２７】
このように、この腕時計の秒針７によれば、取付孔１１を有して回転動作する針本体１０と、この針本体１０の取付孔１１に挿入する筒軸部１３および針本体１０の上面に配置される装飾取付部１４が一体に形成されて、針本体１０に取り付けられた針取付部材１２と、この針取付部材１２の装飾取付部１４に上部が露出して取り付けられた装飾体１５と、を有していることにより、インパクトのある装飾効果を得ることができる。
【００２８】
すなわち、この腕時計の秒針７では、針取付部材１２の装飾取付部１４に装飾体１５をコンパクトに取り付けることができるほか、この装飾取付部１４から上部が露出した装飾体１５によって装飾効果を得ることができると共に、針本体１０の動きに応じて装飾体１５による装飾性を刻々変化させることができるので、より一層、装飾性を高めることができると共に、インパクトのある装飾効果を得ることができる。
【００２９】
この場合、装飾体１５は、宝石またはそれに類似するガラス細工であることにより、外部光が照射されると、その照射された一部の光を内部に採り込むことができると共に、この採り込んだ光を内部で繰り返し反射させながら外部に放出することができるので、装飾体１５が輝き、その輝きによって装飾性を高めることができ、これによりインパクトのある装飾効果を得ることができる。
【００３０】
この場合、装飾体１５は、その下部側が円板状に形成され、上部外周に複数の傾斜面が形成されて上端面が正多角形状に形成されていることにより、装飾体１５の厚みを、通常の宝石の厚みよりも薄く形成することができる。このため、装飾体１５をコンパクトに形成することができるので、装飾体１５の小型化および軽量化を図ることができる。これにより、装飾体１５が取り付けられた針本体１０を腕時計ケースの上部開口部に設けられた時計ガラス（図示せず）の下面に接近させて配置することができるので、腕時計全体の薄型化および小型化を図ることができる。
【００３１】
また、この秒針７では、針本体１０の取付孔１１が針本体１０の回転中心に設けられていることにより、針本体１０の１秒ごとの回転動作に伴って装飾体１５を自動的に回転させることができ、これにより装飾体１５の輝きによる装飾性を刻々変化させることができるので、より一層、装飾性を高めることができると共に、インパクトのある装飾効果を得ることができる。
【００３２】
また、この秒針７では、装飾体１５と装飾取付部１４との間に加飾シート２０が配置されているので、この加飾シート２０によって装飾体１５の装飾を加飾することができ、これによっても装飾性を高めることができる。この場合、加飾シート２０の表面が反射面２０ａに形成されていることにより、装飾体１５の内部に採り込まれて下側に透過した一部の光を反射面２０ａで装飾体１５内に反射させることができるので、この反射された光によって装飾体１５の輝きによる装飾効果を更に高めることができる。
【００３３】
このため、装飾体１５は、その下部側が円板状に形成され、上部外周に複数の傾斜面が形成されて上端面が正多角形状に形成されていることにより、装飾体１５の厚みを薄く形成しても、加飾シート２０の反射面２０ａによって装飾体１５の内部に採り込まれて透過した一部の光が装飾体１５の内部に反射されるので、通常の宝石と同程度の輝きが得られ、この装飾体１５の輝きによる装飾効果を得ることができる。
【００３４】
さらに、この秒針７では、筒軸部１３にその軸方向に沿う貫通孔１３ａが筒軸部１３の下端部から装飾取付部１４の内面に亘って貫通して設けられていることにより、貫通孔１３ａによって装飾取付部１４の底部における上下方向の長さ（厚み）を薄く形成することができ、これにより装飾取付部１４全体の高さを低く抑えることができるので、装飾取付部１４をコンパクトに構成することができる。
【００３５】
すなわち、貫通孔１３ａが装飾取付部１４の内面に貫通していない場合には、その切削加工時に装飾取付部１４の内面が盛り上がるため、その盛り上がりを防ぐために、装飾取付部１４の底部であるベース部１４ａの厚みを厚く形成する必要がある。これに対して、貫通孔１３ａを筒軸部１３の下端部から装飾取付部１４の内面に亘って貫通させて設けることにより、切削加工時に装飾取付部１４の内面に盛り上がりが生じないため、装飾取付部１４の底部であるベース部１４ａの厚みを薄く形成することができる。
【００３６】
この場合、筒軸部１３にその軸方向に沿う貫通孔１３ａを筒軸部１３の下端部から装飾取付部１４の内面に亘って貫通させて設けても、装飾取付部１４内に加飾シート２０が配置されていることにより、この加飾シート２０によって貫通孔１３ａを塞いで隠すことができるので、貫通孔１３ａによって装飾体１５に黒点が発生するのを防ぐことができ、これによっても装飾性を高めることができる。
【００３７】
また、この秒針７では、針取付部材１２の装飾取付部１４に装飾体１５を固定するための第１カシメ部１６が設けられているので、この第１カシメ部１６によって装飾体１５を装飾取付部１４に確実にかつ強固に取り付けることができる。すなわち、装飾取付部１４は、円板状のベース部１４ａと、このベース部１４ａの外周に設けられた筒部１４ｂと、を有し、装飾体１５の下部側が配置する深さの浅い円筒状の凹部に形成されているので、装飾体１５の上部側を装飾取付部１４の上方に突出させた状態で確実に配置して固定することができる。
【００３８】
この場合、装飾体１５は、その下部側が円板状に形成され、上部外周に複数の傾斜面が形成されて上端面が正多角形状に形成されていることにより、装飾体１５全体の厚みが薄く形成されても、装飾取付部１４の外周に位置する筒部１４ｂの上部に設けられた第１カシメ部１６によって、装飾体１５の下部側に位置する円板状の上部を押え付けて固定することができるので、装飾体１５を装飾取付部１４に確実にかつ強固に固定することができる。
【００３９】
また、筒軸部１３には、装飾取付部１４を針本体１０に固定するための第２カシメ部１８が設けられていることにより、この第２カシメ部１８によって装飾取付部１４を針本体１０に確実に固定することができる。すなわち、第２カシメ部１８は、筒軸部１３の上部外周に設けられて針本体１０の取付孔１１に嵌合する嵌合部１７の下部外周に設けられているので、第２カシメ部１８によって針本体１０を装飾取付部１４の下面に押し付けて固定することができるので、針取付部材１２を針本体１０に確実にかつ強固に固定することができる。
【００４０】
なお、上述した実施形態では、加飾シート２０の表面に反射面２０ａを設けた構成である場合について述べたが、これに限らず、例えば図６（ａ）〜図６（ｃ）に示す第１〜第３の各変形例のような凹凸模様２１〜２３を設けた構成であっても良い。
【００４１】
すなわち、図６（ａ）に示された第１変形例では、反射面２０ａに複数の線状溝２１ａを同心円状に設けることによって、凹凸模様２１を形成した構成である。このような凹凸模様２１が形成された反射面２０ａでは、装飾体１５を透過した光を反射する際に、複数の線状溝２１ａで光が乱反射されるので、反射光に同心円状の輝度をもたせることができ、これにより装飾体１５の輝きに変化を与えることができるので、これによっても装飾効果を高めることができる。
【００４２】
また、図６（ｂ）に示された第２変形例では、反射面２０ａに複数の線状溝２２ａを多角形（例えば八角形）の同心状に設けることによって、凹凸模様２２を形成した構成である。このような凹凸模様２２が形成された反射面２０ａでは、装飾体１５を透過した光を反射する際に、複数の線状溝２２ａで光が乱反射されるので、反射光に多角形の同心状の輝度をもたせることができ、これにより装飾体１５の輝きに変化を与えることができるので、これによっても装飾効果を高めることができる。
【００４３】
さらに、図６（ｃ）に示された第３変形例では、反射面２０ａに複数の線状溝２３ａを放射状に設けることによって、凹凸模様２３を形成した構成である。このような凹凸模様２３が形成された反射面２０ａでは、装飾体１５を透過した光を反射する際に、複数の線状溝２３ａで光が乱反射されるので、反射光に放射状の輝度をもたせることができ、これにより装飾体１５の輝きに変化を与えることができるので、これによっても装飾効果を高めることができる。
【００４４】
また、上述した第１〜第３の各変形例では、加飾シート２０の反射面２０ａに凹凸模様２１〜２３を設けたが、これに限らず、加飾シート２０の反射面２０ａに微細な凹凸を多数設けた梨地模様を設けた構成であっても良い。このような梨地模様を設けた場合にも、装飾体１５を透過した光を反射する際に、多数の微細な凹凸で光が乱反射されるので、反射光に梨地状の輝度をもたせることができ、これにより装飾体１５の輝きに変化を与えることができるので、これによっても装飾効果を高めることができる。
【００４５】
また、上述した第１〜第３の各変形例では、加飾シート２０の反射面２０ａに凹凸模様２１〜２３を設けたが、これに限らず、加飾シート２０の表面に印刷などによって着色を施して有色の表面にしても良い。この場合には、加飾シート２０の表面の色を装飾体１５に加飾することができるので、装飾体１５の輝きを加飾させることができ、これによっても装飾効果を高めることができる。
【００４６】
さらに、上述した実施形態では、加飾シート２０をステンレスなどの金属製の薄板で平坦な円板状に形成した場合について述べたが、これに限らず、例えば図７または図８に示す第４、第５の各変形例のように構成しても良い。
【００４７】
すなわち、図７（ａ）に示された第４変形例の加飾シート２５は、ステンレスなどの金属製の薄板の中央を盛り上げて弾力的な反りを形成することにより、ばね性をもたせた構成になっている。このような加飾シート２５では、そのばね性によって装飾体１５を装飾取付部１４に弾力的に取り付けることができるので、装飾取付部１４に対して装飾体１５がガタつくことがなく、良好に装飾体１５を装飾取付部１４に固定することができる。
【００４８】
この場合、加飾シート２５は、図７（ｂ）に示すように、ステンレスなどの金属製の薄板の外周部を盛り上げて弾力的な反りを形成することにより、ばね性をもたせた構成であっても良い。このような加飾シート２５においても、そのばね性によって装飾体１５を装飾取付部１４に弾力的に取り付けることができるので、装飾取付部１４に対して装飾体１５がガタつくことがなく、良好に装飾体１５を装飾取付部１４に固定することができる。
【００４９】
また、図８（ａ）および図８（ｂ）に示された第５変形例の加飾シート２６は、ステンレスなどの金属製の薄板の外周に複数の弾力突起部２６ａを等間隔で設けた構成になっている。このような加飾シート２６では、複数の弾力突起部２６ａによって装飾体１５を装飾取付部１４に弾力的に取り付けることができるので、装飾取付部１４に対して装飾体１５がガタつくことがなく、良好に装飾体１５を装飾取付部１４に固定することができる。
【００５０】
さらに、上述した実施形態では、加飾シート２０をステンレスなどの金属製の薄板で形成した場合について述べたが、これに限らず、例えば合成樹脂製のシートで形成しても良い。この場合には、合成樹脂製のシートの表面に電解メッキや蒸着によって金属層を形成し、この金属層の表面に反射面を形成すれば良い。
【００５１】
この場合にも、金属層の表面に、上述した第１〜第３の各変形例のように、凹凸模様２１〜２３を設けた構成であっても良く、また金属層の表面に微細な凹凸を多数設けた梨地模様を設けた構成であっても良く、さらに金属層の表面に印刷などによって着色して有色の表面にしても良い。
【００５２】
また、これらに限らず、例えば加飾シートは弾力性を有する合成樹脂製のシートで形成されていても良い。このような加飾シートによれば、その弾力性によって装飾体１５を装飾取付部１４に弾力的に取り付けることができるので、装飾取付部１４に対して装飾体１５がガタつくことがなく、良好に装飾体１５を装飾取付部１４に固定することができる。
【００５３】
また、上述した実施形態およびその各変形例では、針本体１０の回転中心に針取付部材１２の装飾取付部１４を設けた場合について述べたが、必ずしも針本体１０の回転中心に装飾取付部１４を設ける必要はなく、針本体１０の回転中心からずれた位置に装飾取付部１４を設け、この装飾取付部１４に装飾体１５を取り付けるように構成しても良い。この場合にも、針本体１０の運針に伴って装飾取付部１４に設けられた装飾体１５が旋回移動するので、上述した実施形態とほぼ同様の作用効果が得られる。
【００５４】
また、装飾取付部１４及び装飾体１５を針本体１０の回転中心からずれた位置に設けることで、秒針７（針全体）の重心バランスを調整することもできる。この場合、上述した実施形態の図２の針本体１０の装飾体１５の左側部分の長さを極端に短くすることも可能となる。さらに、装飾取付部１４及び装飾体１５の形状を変えることにより針全体の重心バランスを調整するようにしても良い。
【００５５】
さらに、上述した実施形態およびその各変形例では、指針６の秒針７に適用した場合について述べたが、必ずしも秒針７である必要はなく、例えば指針６が２針の場合であれば分針８に適用することができ、また指針６が時針９のみの１針の場合であれば、時針９に適用することができる。
【００５６】
なおまた、上述した実施形態およびその各変形例では、指針式の腕時計に適用した場合について述べたが、必ずしも腕時計である必要はなく、例えばトラベルウオッチ、目覚まし時計、置き時計、掛け時計などの各種の指針式の時計に適用することができる。また、必ずしも時計に限らず、指針を備えたメータなどの各種の計器類にも広く適用することができる。
【００５７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５８】
（付記）
請求項１に記載の発明は、取付孔を有し、かつ回転動作する針本体と、この針本体の前記取付孔に挿入する筒軸部および前記針本体の上面に配置される装飾取付部が一体に形成され、前記針本体に取り付けられた針取付部材と、この針取付部材の前記装飾取付部に上部が露出して取り付けられた装飾体と、を有していることを特徴とする指針である。
【００５９】
請求項２に記載の発明は、請求項１に記載の指針において、前記装飾体は宝石またはガラス細工であることを特徴とする指針である。
【００６０】
請求項３に記載の発明は、請求項１または請求項２に記載の指針において、前記取付孔は、前記針本体の回転中心に設けられていることを特徴とする指針である。
【００６１】
請求項４に記載の発明は、請求項１〜請求項３のいずれかに記載の指針において、前記装飾体と前記装飾取付部との間には、加飾シートが配置されていることを特徴とする指針である。
【００６２】
請求項５に記載の発明は、請求項１〜請求項４のいずれかに記載の指針において、前記筒軸部には、その軸方向に沿う貫通孔が、前記筒軸部の下端部から前記装飾取付部の内面に亘って貫通して設けられていることを特徴とする指針である。
【００６３】
請求項６に記載の発明は、請求項１〜請求項５のいずれかに記載の指針において、前記針取付部材の前記装飾取付部には、前記装飾体を固定するための第１カシメ部が設けられており、前記筒軸部には、前記装飾取付部を前記針本体に固定するための第２カシメ部が設けられていることを特徴とする指針である。
【００６４】
請求項７に記載の発明は、請求項１〜請求項６のいずれかに記載の指針において、前記加飾シートは、前記装飾体を透過した光を前記装飾体の内部に向けて反射する反射面を有していることを特徴とする指針である。
【００６５】
請求項８に記載の発明は、請求項１〜請求項７のいずれかに記載の指針において、前記加飾シートには、凹凸模様が施されていることを特徴とする指針である。
【００６６】
請求項９に記載の発明は、請求項１〜請求項８のいずれかに記載の指針において、前記加飾シートは、弾力性を有していることを特徴とする指針である。
【００６７】
請求項１０に記載の発明は、請求項１〜請求項９のいずれかに記載の指針において、前記加飾シートは、金属製の薄板であることを特徴とする指針である。
【００６８】
請求項１１に記載の発明は、請求項１〜請求項９のいずれかに記載の指針において、前記加飾シートは、合成樹脂製のシートであることを特徴とする指針である。
【００６９】
請求項１２に記載の発明は、請求項１〜請求項１１のいずれかに記載された指針を備えていることを特徴とする時計である。
【符号の説明】
【００７０】
１  時計モジュール
３  文字板
４  時計ムーブメント
５  指針軸
６  指針
７  秒針
８  分針
９  時針
１０  針本体
１１  取付孔
１２  針取付部材
１３  筒軸部
１３ａ  貫通孔
１４  装飾取付部
１４ａ  ベース部
１４ｂ  筒部
１５  装飾体
１６  第１カシメ部
１７  嵌合部
１８  第２カシメ部
２０、２５、２６  加飾シート
２０ａ  反射面
２１〜２３  凹凸模様
２１ａ〜２３ａ  線状溝
２６ａ  弾力突起部
【図１】
0006044798.tif 000002
【図２】
0006044798.tif 000003
【図３】
0006044798.tif 000004
【図４】
0006044798.tif 000005
【図５】
0006044798.tif 000006
【図６】
0006044798.tif 000007
【図７】
0006044798.tif 000008
【図８】
0006044798.tif 000009